(57)【要約】【課題】封筒や紙袋等の袋の製袋等の見積において、ユーザーが経済的に有利な注文数量を容易に把握することが可能な見積プログラム、見積装置および見積方法の提供。【解決手段】コンピュータ１を、見積条件を入力する入力部２と、入力部２に入力された見積条件に基づいて、複数の注文数量ごとの見積金額を算出する演算部３と、演算部３により算出された複数の注文数量ごとの見積金額を並べて表示する見積表示部４として機能させるための見積プログラムである。【選択図】図１
2015121977.tif 000002
【特許請求の範囲】
【請求項１】
コンピュータを、
見積条件を入力する入力部と、
前記入力部に入力された見積条件に基づいて、複数の注文数量ごとの見積金額を算出する演算部と、
前記演算部により算出された前記複数の注文数量ごとの見積金額を並べて表示する見積表示部と
して機能させるための見積プログラム。
【請求項２】
前記見積条件は、製袋の形状、用紙の種類および印刷色数を含むものである請求項１記載の見積プログラム。
【請求項３】
前記演算部は、さらに前記複数の注文数量ごとの見積単価を算出するものであり、
前記見積表示部は、さらに前記複数の注文数量ごとの見積単価を並べて表示するものである
請求項１または２に記載の見積プログラム。
【請求項４】
さらに前記コンピュータを、前記演算部により算出された前記複数の注文数量ごとの見積単価をグラフ表示するグラフ表示部として機能させるための請求項３記載の見積プログラム。
【請求項５】
前記演算部は、さらに前記複数の注文数量ごとの納期を算出するものであり、
前記見積表示部は、さらに前記複数の注文数量ごとの納期を並べて表示するものである
請求項１から４のいずれか１項に記載の見積プログラム。
【請求項６】
見積条件を入力する入力部と、
前記入力部に入力された見積条件に基づいて、複数の注文数量ごとの見積金額を算出する演算部と、
前記演算部により算出された前記複数の注文数量ごとの見積金額を並べて表示する見積表示部と
を有する見積装置。
【請求項７】
コンピュータが、
入力部に入力された見積条件に基づいて、複数の注文数量ごとの見積金額を算出すること、
前記算出された前記複数の注文数量ごとの見積金額を並べて表示すること
を含む見積方法。
【発明の詳細な説明】
【技術分野】
【０００１】
本発明は、封筒や紙袋等の袋の製袋等の見積プログラム、見積装置および見積方法に関する。
【背景技術】
【０００２】
従来、例えば特許文献１に記載のように、ユーザが印刷業者等が運営するウェブサイトにアクセスし、印刷物の種類、数量、配送先住所等の情報を入力し印刷物の発注を行うと、入力された発注内容に応じて見積金額や納期を計算し、サイト上にその見積金額や納期を表示させるシステムが知られている。
【０００３】
また、特許文献２には、印刷センターにインターネットに接続された受注管理サーバーを設置し、インターネットユーザーからの印刷見積要求があった場合に、該サーバーが見積メニューページを送信し、ユーザーは前記のメニューに沿って出力仕様や印刷物の元となるデータを入力して受注管理サーバーに送信し、受注管理サーバーは前記の出力仕様および元データを基に印刷物の自動割付計算を行い、印刷に関する見積を自動作成してユーザー端末に送信するシステムが記載されている。
【先行技術文献】
【特許文献】
【０００４】
【特許文献１】特開２０１３−７７２２２号公報
【特許文献２】登録実用新案第３０９２６９５号公報
【発明の概要】
【発明が解決しようとする課題】
【０００５】
ところで、封筒や紙袋等の袋の製袋コストは、非常に複雑な条件が絡み合って算出される。例えば、１枚の用紙からいくつの袋が製造できるかという丁取りを見ても、製造する袋のサイズと使用する用紙の規格サイズによって多数の組み合わせがあり、主に製袋業者の経験則に基づいて行われている。また、製造数量によっても単価が変わってしまうため、注文数量が変わる度に業者に見積を依頼する必要があり、業者はその都度見積をやり直す必要がある。
【０００６】
そこで、本発明においては、封筒や紙袋等の袋の製袋等の見積において、ユーザーが経済的に有利な注文数量を容易に把握することが可能な見積プログラム、見積装置および見積方法を提供することを目的とする。
【課題を解決するための手段】
【０００７】
本発明の見積プログラムは、コンピュータを、見積条件を入力する入力部と、入力部に入力された見積条件に基づいて、複数の注文数量ごとの見積金額を算出する演算部と、演算部により算出された複数の注文数量ごとの見積金額を並べて表示する見積表示部として機能させるためのものである。
【０００８】
また、本発明の見積装置は、見積条件を入力する入力部と、入力部に入力された見積条件に基づいて、複数の注文数量ごとの見積金額を算出する演算部と、演算部により算出された複数の注文数量ごとの見積金額を並べて表示する見積表示部とを有するものである。
【０００９】
また、本発明の見積方法は、コンピュータが、入力部に入力された見積条件に基づいて、複数の注文数量ごとの見積金額を算出すること、算出された複数の注文数量ごとの見積金額を並べて表示することを含むことを特徴とする。
【００１０】
これらの発明によれば、見積条件を入力すると、この入力された見積条件に基づいて複数の注文数量ごとの見積金額が算出され、算出された複数の注文数量ごとの見積金額が並べて表示される。したがって、ユーザーは、この並べて表示された注文数量ごとの見積金額を見て、経済的に有利な注文数量を容易に把握することが可能となる。
【００１１】
ここで、演算部は、さらに複数の注文数量ごとの見積単価を算出するものであり、見積表示部は、さらに複数の注文数量ごとの見積単価を並べて表示するものであることが望ましい。これにより、ユーザーは、並べて表示された注文数量ごとの見積単価を見るだけで、経済的に有利な注文数量をより容易に把握することが可能となる。
【００１２】
また、本発明の見積プログラムは、さらにコンピュータを、演算部により算出された複数の注文数量ごとの見積単価をグラフ表示するグラフ表示部として機能させるためのものであることが望ましい。これにより、ユーザーは、注文数量ごとの見積単価のグラフ表示を見ることで、経済的に有利な注文数量を一目で容易に把握することが可能となる。
【００１３】
また、演算部は、さらに複数の注文数量ごとの納期を算出するものであり、見積表示部は、さらに複数の注文数量ごとの納期を並べて表示するものであることが望ましい。これにより、ユーザは、注文数量ごとの納期を見ることで、経済的に有利な注文数量だけでなく、納期を容易に把握することが可能となる。
【発明の効果】
【００１４】
本発明によれば、ユーザーは、並べて表示された注文数量ごとの見積金額を見て、経済的に有利な注文数量を容易に把握することが可能となり、最適な注文数量を容易に検討することが可能となる。
【図面の簡単な説明】
【００１５】
【図１】本発明の実施の形態における見積装置のブロック図である。
【図２】見積装置に表示される見積条件入力画面の例を示す図である。
【図３】見積表示部の表示例を示す図である。
【図４】グラフ表示部の表示例を示す図である。
【発明を実施するための形態】
【００１６】
図１は本発明の実施の形態における見積装置のブロック図、図２は見積装置に表示される見積条件入力画面の例を示す図、図３は見積表示部の表示例を示す図、図４はグラフ表示部の表示例を示す図である。
【００１７】
図１において、本発明の実施の形態における見積プログラムは、コンピュータ１を、見積条件を入力する入力部２と、入力部２に入力された見積条件に基づいて各種演算を行う演算部３と、演算部３により算出された見積結果を表示する見積表示部４と、演算部３により算出された見積結果をグラフ表示するグラフ表示部５とを有する見積装置として機能させるためのものである。なお、以下では、製袋する袋として封筒を例に説明するが、紙袋等の他の袋についても同様に構成することができる。
【００１８】
見積プログラムは、インターネットに接続されたウェブサーバによりコンピュータ１へ提供される。ユーザーは、コンピュータ１のウェブブラウザにより、見積プログラムを提供するウェブサーバへ接続すると、ウェブサーバから見積プログラムがコンピュータ１へ提供され、ウェブブラウザ上で実行されることにより、コンピュータ１は上記見積装置として機能する。あるいは、見積プログラムは、インターネットに接続されたサーバ上で実行されるものとし、コンピュータ１が、このサーバへ接続することにより、上記見積装置として機能させることも可能である。
【００１９】
入力部２は、図２に示すように、見積条件を入力する見積条件入力欄を有する。本実施形態における見積条件は、封筒の形状（封筒の規格（幅、天地およびフタの各寸法）、形状（縦型、かます、チケットまたはガゼットの選択）、貼り方（サイド貼り、センター貼りまたは逆サイド貼りの選択）、口糊加工（なし、アドヘア、１０ｍｍホットメルト、１５ｍｍホットメルト、１０ｍｍテープまたは１５ｍｍテープの選択）、窓加工（有無の選択、セロファン、グラシンまたはカラ窓の選択、ならびに、窓サイズおよび窓位置）、ジッパー・ミシン加工（なし、ミシンまたはジッパーの選択）および開封加工（有無の選択）、用紙の種類（封筒紙質、斤量および封筒色）、印刷（印刷色数および印刷データ）および発送（商品発送先）である。
【００２０】
演算部３は、入力部２により入力された見積条件に基づいて、複数の注文数量ごとの見積金額を算出する。封筒の金額は、大きく分けて用紙代、印刷代、製袋代、ケース代および送料から算出される。用紙代は、見積条件のうち、封筒の規格、形状、貼り方、口糊加工、窓、ジッパー・ミシン、用紙の種類や印刷色数等に基づいて算出される。封筒の規格、形状および貼り方により丁取りが決定され、必要な用紙の枚数が算出される。また、印刷色数により、印刷の色を調整するのに必要な予備の用紙の枚数が加算される。さらに、口糊加工、窓加工、ジッパー・ミシン加工により、これらの加工に必要な予備の用紙の枚数が加算される。
【００２１】
印刷代は、印刷機への用紙の通し枚数や印刷色数等に基づいて算出される。用紙の通し枚数は、上述のように、封筒の規格、形状および貼り方により丁取りが決定されて算出された必要な用紙の枚数や、印刷色数により算出された予備の用紙の枚数等に基づいて算出される。製袋代は、用紙の枚数と、貼り方、口糊加工、窓加工、ジッパー・ミシン加工や開封加工等とに基づいて算出される。ケース代は、封筒の形状等に基づいて算出される。送料は、封筒の形状、斤量、ケースの個数または総重量、商品発送先等に基づいて算出される。
【００２２】
演算部３は、上記封筒の金額の計算を、複数の注文数量ごと、例えば１０００部単位で１０００部〜２８０００部について行う。また、演算部３は、複数の注文数量ごとの見積単価や納期を算出する。見積表示部４は、この演算部３により算出された複数の注文数量ごとの見積金額、見積単価および納期を、図３に示すように縦横に並べて表示する。また、グラフ表示部５は、演算部３により算出された複数の注文数量ごとの見積単価を、図４に示すようにグラフ表示する。なお、注文数量によって、丁取りが変化したり、用紙の予備枚数が変化したりするため、封筒の金額は必ずしも注文数量に比例せず、見積単価は枚数が多い方が安くなるとは限らない。
【００２３】
上記構成の見積装置において、ユーザーは、コンピュータ１のウェブブラウザにより見積プログラムを提供するウェブサーバへ接続すると、ウェブサーバから見積プログラムがコンピュータ１へ提供され、ウェブブラウザ上で実行される。そして、ユーザーが、図２に示す見積条件入力画面により見積条件を入力すると、この入力された見積条件に基づいて見積表示部４およびグラフ表示部５に演算部３により行われた見積結果が複数の注文数量ごとに並べて表示される。
【００２４】
ここで、ユーザーは、見積表示部４に表示された見積結果を見て、経済的に有利な注文数量を容易に把握することが可能であり、最適な注文数量を容易に検討することが可能である。特に、本実施形態における見積装置では、見積表示部４に注文数量ごとの見積単価が表示されるので、この見積単価を見るだけで、経済的に有利な注文数量をより容易に把握することが可能となっている。
【００２５】
また、本実施形態における見積装置では、グラフ表示部５に表示された注文数量ごとの見積単価のグラフ表示を見ることで、経済的に有利な注文数量を一目で容易に把握することも可能となっている。さらに、本実施形態における見積装置では、見積表示部４に注文数量ごとの納期が表示されるので、この注文数量ごとの納期を見ることで、経済的に有利な注文数量だけでなく、納期を容易に把握することが可能となっている。
【産業上の利用可能性】
【００２６】
本発明の見積プログラム、見積装置および見積方法は、封筒や紙袋等の袋の製袋等の見積に有用である。
【符号の説明】
【００２７】
１  コンピュータ
２  入力部
３  演算部
４  見積表示部
５  グラフ表示部
【図１】
2015121977.tif 000003
【図２】
2015121977.tif 000004
【図３】
2015121977.tif 000005
【図４】
2015121977.tif 000006